【事件の表示】
　上記当事者間の登録第３３７０８５８号商標の商標登録無効審判事件について、次のとおり審決する。
【結　論】
　登録第３３７０８５８号の登録を無効とする。
　審判費用は被請求人の負担とする。
【理　由】
１　本件商標
　本件登録第３３７０８５８号商標（以下「本件商標」という。）は、「Ｌｏｌｉｔａ」と「Ｖａｌｅｎｔｉｎｏ」の欧文字を二段に併記してなり、平成６年５月１６日に登録出願、第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，マフラー，耳覆い，ずきん，ナイトキャップ，ヘルメット，帽子，ガーター，靴下止め，ズボンツリ，バンド，ベルト，靴類，運動用特殊衣服，運動用特殊靴」を指定商品として、同１０年１２月４日に設定登録されたものである。
    　
２　引用商標
　請求人が引用する商標は、以下のとおりである。
（１）登録第８５２０７１号商標（以下「引用Ａ商標」という。）は、「ＶＡＬＥＮＴＩＮＯ」の欧文字をやや図案化してを書してなり、昭和４３年６月５日に登録出願、第１７類「被服（運動用特殊被服を除く），布製身回品（他の類に属するものを除く。），寝具類（寝台を除く。）」を指定商品として、同４５年４月８日に設定登録され、最終的に商標権存続期間の更新登録が平成１２年４月４日にされているものである。
現に有効に存続しているものである。
（２）登録第１４１５３１４号商標（以下「引用Ｂ商標」という。）は、「ＶＡＬＥＮＴＩＮＯ　ＧＡＲＡＶＡＮＩ」の欧文字を横書きしてなり、同４９年１０月１日に登録出願、第１７類「被服（運動用特殊被服を除く），布製身回品（他の類に属するものを除く。），寝具類（寝台を除く。）」を指定商品として、同５５年４月３０日に設定登録され、最終的に商標権存続期間の更新登録が平成１２年４月４日にされているものである。
（３）登録第９７２８１３号商標（以下「引用Ｃ商標」という。）は、「ＶＡＬＥＮＴＩＮＯ」の欧文字を横書きしてなり、昭和４５年４月１６日に登録出願、第２１類「宝玉，その他本類に属する商品」を指定商品として、同４７年７月２０日に設定登録され、その後、指定商品については、その指定商品中「かばん類、袋物」は一部放棄による抹消登録が平成１２年６月２５日にされ、商標権存続期間の更新登録が平成１４年７月２日にされているものである。
（４）登録第１７９３４６５号商標（以下「引用Ｄ商標」という。）は、「ＶＡＬＥＮＴＩＮＯ　ＧＡＲＡＶＡＮＩ」の欧文字を書してなり、昭和４９年１０月１日に登録出願、第２１類「装身具，ボタン類，かばん類，袋物，宝玉及びその模造品，増加，化粧用具」を指定商品として、昭和６０年７月２９日に設定登録され、商標権存続期間の更新登録が平成７年１０月３０日にされているものである。
（５）登録第１７８６８２０号商標（以下「引用Ｅ商標」という。）は、「ＶＡＬＥＮＴＩＮＯ　ＧＡＲＡＶＡＮＩ」の欧文字を書してなり、昭和４９年１０月１日に登録出願、第２２類「はき物（運動用特殊ぐつを除く。），かさ，つえ，これらの部品及び附属品」を指定商品として、同６０年６月２５日に設定登録され、商標権存続期間の更新登録が平成７年８月３０日にされているものである。
現に有効に存続しているものである。
（６）登録第１４０２９１６号商標（以下「引用Ｆ商標」という。）は、「ＶＡＬＥＮＴＩＮＯ　ＧＡＲＡＶＡＮＩ」の欧文字を書してなり、昭和４９年１０月１日に登録出願、第２７類「たばこ、喫煙用具、マッチ」を指定商品として、同５４年１２月２７日に設定登録され、最終的に商標権存続期間の更新登録が平成１２年１月２５日にされているものである。
　　
３　請求人の主張
　請求人は、結論同旨の審決を求めると申し立て、その理由を要旨次のように述べ、証拠方法として甲第１号証ないし甲第６２号証（枝番を含む。）を提出した。
（１）商標法第４条第１項第８号について
（ア）請求人は、イタリアの服飾デザイナーとして全世界に著名な「ＶＡＬＥＮＴＩＮＯ　ＧＡＲＡＶＡＮ１（ヴァレンティノ　ガラヴァーニ）」の同意を得て、同氏のデザインに係る各種の商品を製作、販売し、これらの商品に「ＶＡＬＥＮＴＩＮＯ　ＧＡＲＡＶＡ
ＮＩ」、あるいは「ＶＡＬＥＮＴＩＮＯ」の欧文字からなる商標を使用している者である。
（イ）上記「ＶＡＬＥＮＴＩＮＯ　ＧＡＲＡＶＡＮＩ」の氏名は単に「ＶＡＬＥＮＴＩＮＯ（ヴァレンティノ）」と略称され、本件商標の登録出願の日前より著名なものとなっている。
　この略称が著名であることについては、甲第７号証ないし甲第１０号証（新聞・雑誌の記事切り抜き、登録異議の申立てについての決定謄本、審決謄本）をはじめとして、甲第１３号証の２、甲第１５号証の２、甲第１５号証の３、甲第１６号証の２，甲第２２号証の２、甲第２５号証の３、甲第３０号証の２（以上、雑誌記事）、甲第４８号証（報知新聞記事）によっても明らかである。
（ウ）本件商標の構成は前記したとおりであり、大きく二段に横書きされた「Ｌｏｌｉｔａ」「Ｖａｌｅｎｔｉｎｏ」の文字中の下段部分である「Ｖａｌｅｎｔｉｎｏ」の文字が「ヴァレンティノ」と称呼されることは明らかであるから、本件商標は、「ＶＡＬＥＮＴ
ＩＮＯ　ＧＡＲＡＶＡＮＩ」（ヴァレンティノ・ガラヴァーニ）の著名な略称を含む商標であり、その他人の承諾を得ずに登録出願されたことは明らかである。
　したがって、本件商標は、商標法第４条第１項第８号に違反して登録されたものである。
（２）商標法第４条第１項１１号について　
（ア）本件商標は、構成文字全体を称呼するときは「ロリタヴァレンティノ」の８音にも及ぶ冗長なものとなるばかりでなく、外観構成上「Ｌｏｌｉｔａ」の文字と「Ｖａｌｅｎｔｉｎｏ」の文字が上下二段に表示されていることもあって、「ロリタ」と「ヴァレンテ
ィノ」とがそれぞれ段落をもって称呼されるものであり、しかも、上記のデザイナー「ＶＡＬＥＮＴＩＮＯ　ＧＡＲＡＶＡＮＩ（ヴァレンティノ・ガラヴァーニ）氏の氏名が「ＶＡＬＥＮＴＩＮＯ」（ヴァレンティノ）と略称されて著名なものとなっていることとも相挨って、これに接する取引者、需要者に親しまれている「ＶＡＬＥＮＴＩＮＯ」の文字に相応する「ヴァレンティノ」の称呼をもって、取引に資する場合が決して少なくない。
　したがって、本件商標は、「ヴァレンティノ」の称呼をも生ずるものである。
（イ）引用Ａ商標ないし引用Ｅ商標がいずれもその指定商品に使用された結果、全世界に著名なものとなっていることは、甲第９号証及び甲第１０号証（審決謄本写し）をはじめとして、甲第６２号証までの書証によっても明らかなところであって、引用Ａ商標及び引用Ｃ商標は、いずれも「ＶＡＬＥＮＴＩＮＯ」の文字よりなるものであり、その構成上「ヴァレンティノ」の称呼を生ずることは明らかである。
　また、引用Ｂ商標、引用Ｄ商標及び引用Ｅ商標は、「ＶＡＬＥＮＴＩＮＯ　ＧＡＲＡＶＡＮＩ」の文字よりなるものであるから、その構成文字全体から生ずる「ヴァレンティノガラヴァーニ」の称呼のほか、構成文字前半の「ＶＡＬＥＮＴＩＮＯ」の文字に相応する「ヴァレンティノ」の称呼をも生ずるものである。
（ウ）したがって、本件商標と引用Ａ商標ないし引用Ｅ商標は、「ヴァレンテイノ」の称呼を共通にする類似の商標であり、また、本件商標の指定商品は各引用商標のそれと抵触するものであること明らかであるから、本件商標は、商標法第４条第１項第１１号に違反して登録されたものである。
（３）商標法第４条第１項第１５号について
　請求人は、引用Ａ商標ないし引用Ｅ商標以外の商品についても、多数の登録商標を使用している。
　これらのうち、登録第１４０２９２６号商標（以下「引用Ｆ商標」という。）を引用する。
　しかして、請求人提出の甲第９号証及び甲第１０号証ないし甲第６２号証によれば、引用Ｂ商標ないし引用Ｅ商標は、婦人服、紳士服、ネクタイなどの被服、バンド、バッグ類、靴、ライター等について使用されていること、各引用商標も本件商標の登録出願の日前より全世界に著名なものとなっていることは、明らかである。
　そして、本件商標と引用Ｂ商標、引用Ｄ商標及び引用Ｅ商標が称呼上類似する商標であることは上述のとおりであるから、同様の理由により、本件商標と引用Ｆ商標とは、類似する商標である。
　また、本件商標の指定商品と各引用商標が使用されている商品はいずれも服飾品の範疇に属する密接な関係にある商品、いわゆるファッション関連の商品である。
　したがって、本件商標は、これを被請求人がその指定商品に使用した場合、その商品があたかも請求人の製造、販売等の業務に係る商品であるか又は同人と経済的若しくは組織的に何らかの関係にある者、すなわち姉妹会社等の関係にある者の業務に係る商品である
かの如く、その出所について混同を生ぜしめるおそれがあるものであるから、本件商標は、商標法第４条第１項第１５号に違反して登録されたものである。
    　
４　被請求人の答弁
　被請求人は、何ら答弁していない。
    　
５　当審の判断
（１）請求人商標の著名性について
　本件審判請求の理由及び甲第７号証、甲第１３号証ないし甲６２号証（枝番を含む。）を総合すると、以下の事実が認められる。
（ア）「ＶＡＬＥＮＴＩＮＯ　ＧＡＲＡＶＡＮＩ」（ヴァレンティノ　ガラヴァーニ）は１９３２（昭和７）年イタリア国ボグヘラで誕生、１７才の時パリに行き、パリ洋裁学院でデザインの勉強を開始し、その後、フランスの有名なデザイナー「ジーン・デシス、ギ・ラ・ロシュ」の助手として働き、１９５９（昭和３４）年ローマで自分のファッションハウスを開設した。
　１９６７（昭和４２）年にはデザイナーとして最も栄誉ある賞といわれる「ファッションオスカー（Ｆａｓｈｉｏｎ　Ｏｓｃａｒ）」を受賞し、ライフ誌、ニューヨークタイムズ誌、ニューズウィーク誌など著名な新聞、雑誌に同氏の作品が掲載された。
　これ以来、同氏は、イタリア・ファッションの第一人者としての地位を確立し、フランスのサンローランなどと並んで、国際的なトップデザイナーとして知られるに至っている。
（イ）我が国において、「ヴァレンティノ　ガラヴァーニ」の名前は、前記「ファッションオスカー」受賞以来知られるようになり、その作品は「Ｖｏｇｕｅ（ヴォーグ）」誌などにより継続的に日本国内にも紹介されていた。
　昭和４９年には三井物産株式会社の出資により同氏の日本及び極東地区総代理店として「株式会社ヴァレンティノヴティックジャパン」が設立され、同氏のデザインに係る商品を輸入、販売するに至り、同氏の作品は我が国のファッション雑誌にもより数多く掲載されるようになり、同氏は我が国においても著名なデザイナーとして一層注目されることとなった。
（ウ）「ＶＡＬＥＮＴＩＮＯ」「ヴァレンティノ」あるいは「ヴァレンティーノ」を「ＶＡＬＥＮＴＩＮＯ　ＧＡＲＡＶＡＮＩ」「ヴァレンティノ　ガラヴァーニ」の略称として、「世界の一流品大図鑑」１９８１年版（甲第１３号証）、「世界の一流品大図鑑」１９８５年版（甲第１５号証）、「男の一流品大図鑑」１９８５年版（甲第１６号証）、「２５ａｎｓ，ヴァンサンカン」１９８７年１０月号（甲第２２号証）、「ミス家庭画報」１９９０年５月号（甲第３０号証）、「ミス家庭画報」１９９４年６月号（甲第３３号証）、平成３年７月２９日付「報知新聞」の取材記事（甲第４８号証）等、また、「服飾辞典」（田中千代著 同文書院１９８１年発行）、「英和商品辞典」（山田政美著　株式会社研究社１９９０年発行　）、及び、雑誌の「ｎｏｎ-ｎｏ」（株式会社集英社１９８９年１２月５日発行　１７３頁）、「エル・ジャポン」１９９７年８月号、「ドンナジャポーネ」１９９８年４月号（甲第５５号証、甲第５６号証）の雑誌、新聞又は辞典等に記載されている。
（エ）請求人主張よりして、請求人会社は同氏のデザインに係る各種商品の製作・販売に携わる者である。
 　以上よりすると、ファッションに関して、「ＶＡＬＥＮＴＩＮＯ」「ヴァレンティノ」といえば、容易に前記デザイナー又は同氏のデザインに係る各種商品を想起し得る状況がうかがわれる。
　そして、「ＶＡＬＥＮＴＩＮＯ　ＧＡＲＡＶＡＮＩ」「ｖａｌｅｎｔｉｎｏ　ｇａｒａｖａｎｉ」（ヴァレンティノガラヴァーニ）の文字よりなる標章及び「ＶＡＬＥＮＴＩＮＯ」「Ｖａｌｅｎｔｉｎｏ」（ヴァレンティノ又はヴァレンティーノ）の標章は、ＶＡＬＥＮＴＩＮＯＧＡＲＡＶＡＮＩ（ヴァレンティノ　ガラヴァーニ）がデザインした婦人服、アクセサリー、バッグ、靴等のファッション関連商品におけるデザイナーブランドとして、少なくとも本件商標の登録出願時である１９９４年（平成６年）５月１６日前において既に我が国の取引者、需要者間に広く認識され著名となっていたものであり、また、その状況は、本件商標の登録査定時である平成１０年１２月４日を含む現在に至るまで継続しているとみて差し支えないものである。
（２）本件商標の構成並びに指定商品について
　本件商標は、その構成前記したとおり、「Ｌｏｌｉｔａ」と「Ｖａｌｅｎｔｉｎｏ」の欧文字を二段に併記してなるものであって、視覚上、おのずと上下に分離して看取し得るものである。
　そして、本願商標は、全体をもって特定の意味合いの熟語的文字として把握し得るような事情はなく、また、証拠も見出せないので、これを常に一体不可分のものとして認識し把握されるものとすべき相当の理由はない。
　また、本件商標に係る指定商品は、第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，マフラー，耳覆い，ずきん，ナイトキャップ，ヘルメット，帽子，ガーター，靴下止め，ズボンツリ，バンド，ベルト，靴類，運動用特殊衣服，運動用特殊靴」とするものであり、前記請求人の取扱いに係る商品「婦人服、アクセサリー、バッグ、靴」等と同様、素材や色柄、デザインが重視される商品であって、デザイナーの関与が十分予想されるものである。
（３）出所混同のおそれについて
　以上の（１）（２）を総合すれば、本件商標をその指定商品に使用した場合、これに接する需要者は、前記実情よりして、本件商標の「Ｖａｌｅｎｔｉｎｏ」の文字部分に着目し、容易にデザイナーのＶＡＬＥＮＴＩＮＯ　ＧＡＲＡＶＡＮＩ（ヴァレンティノ　ガラヴァーニ）又は、請求人商標を連想、想起するとともに、これを前記デザイナー又は請求人会社に係る一連のデザイナーブランド又はその兄弟ブランドないしはファミリーブランドであるかのように誤認し、あるいは、これらの者と事業上何らかの関係を有する者の業務に係る商品であるかのごとく、商品の出所について混同を生ずるおそれがあるといわなければならない。
　してみれば、本件商標は、他人の業務に係る商品とその出所について混同を生ずるものというべきであるから、その登録は、商標法第４条第１項第１５号に違反してされたものである。
（４）結語
　したがって、本件商標は、商標法第４条第１項第１５号に違反して登録されたものであるから、その余の点について判断するまでもなく、同法第４６条第１項の規定により、その登録を無効とすべきである。
　よって、結論のとおり審決する。